(57)【特許請求の範囲】
【請求項１】
情報を受信する受信部、前記情報に含まれる音声情報および字幕情報を抽出する抽出部および前記抽出部によって抽出された音声情報に基づく音声を出力するときの音量を調節する調節部を有し、前記調節部によって調節された音量でスピーカまたは装着部から音声を出力する、受信装置であって、
前記抽出部によって抽出された字幕情報に基づく字幕を表示する表示部、
前記スピーカから音声が出力されているとき、前記音量が第１閾値以上であれば、前記表示部による字幕の表示をオフにする第１字幕オフ部、
前記装着部から音声が出力されているとき、前記音量が前記第１閾値よりも小さい第２閾値以上であれば、前記表示部による字幕の表示をオフにする第２字幕オフ部、および
前記表示部によって字幕が表示されている状態で前記装着部から音声が出力される状態になったとき、前記音量が前記第２閾値以上であれば、所定時間が経過するまで前記第２字幕オフ部を無効化する無効化部を備える、受信装置。
【請求項２】
前記スピーカから音声が出力されているとき、前記音量が前記第１閾値より小さければ、前記表示部による字幕の表示をオンにする第１字幕オン部、および
前記装着部から音声が出力されているとき、前記音量が前記第２閾値より小さければ、前記表示部による字幕の表示をオンにする第２字幕オン部をさらに備える、請求項１記載の受信装置。
【請求項３】
前記表示部によって字幕が表示されていない状態で前記装着部から音声が出力されない状態になったとき、前記音量が前記第１閾値より小さければ、前記表示部による字幕の表示をオンにする第３字幕オン部をさらに備える、請求項１または２記載の受信装置。
【請求項４】
前記情報は、テレビ放送を含む、請求項１ないし３のいずれかに記載の受信装置。
【請求項５】
前記装着部は、前記受信装置に着脱自在である、請求項１ないし４のいずれかに記載の受信装置。
【請求項６】
前記装着部は、マイクを有するヘッドセット、イヤフォンおよびステレオフォンを含む、請求項１ないし５のいずれかに記載の受信装置。
【請求項７】
請求項１ないし請求項６のいずれかに記載の受信装置を備える、携帯通信端末。
【請求項８】
情報を受信する受信部、前記情報に含まれる音声情報および字幕情報を抽出する抽出部、前記抽出部によって抽出された音声情報に基づく音声を出力するときの音量を調節する調節部および前記抽出部によって抽出された字幕情報に基づく字幕を表示する表示部を有し、前記調節部によって調節された音量でスピーカまたは装着部から音声を出力する、受信装置のプロセッサを、
前記スピーカから音声が出力されているとき、前記音量が第１閾値以上であれば、前記表示部による字幕の表示をオフにする第１字幕オフ部、
前記装着部から音声が出力されているとき、前記音量が前記第１閾値よりも小さい第２閾値以上であれば、前記表示部による字幕の表示をオフにする第２字幕オフ部、および
前記表示部によって字幕が表示されている状態で前記装着部から音声が出力される状態になったとき、前記音量が前記第２閾値以上であれば、所定時間が経過するまで前記第２字幕オフ部を無効化する無効化部として機能させる、字幕表示制御プログラム。
【請求項９】
情報を受信する受信部、前記情報に含まれる音声情報および字幕情報を抽出する抽出部、前記抽出部によって抽出された音声情報に基づく音声を出力するときの音量を調節する調節部および前記抽出部によって抽出された字幕情報に基づく字幕を表示する表示部を有し、前記調節部によって調節された音量でスピーカまたは装着部から音声を出力する、受信装置における字幕表示制御方法であって、前記受信装置のプロセッサが、
前記スピーカから音声が出力されているとき、前記音量が第１閾値以上であれば、前記表示部による字幕の表示をオフにする第１字幕オフステップ、
前記装着部から音声が出力されているとき、前記音量が前記第１閾値よりも小さい第２閾値以上であれば、前記表示部による字幕の表示をオフにする第２字幕オフステップ、および
前記表示部によって字幕が表示されている状態で前記装着部から音声が出力される状態になったとき、前記音量が前記第２閾値以上であれば、所定時間が経過するまで前記第２字幕オフステップを無効化する無効化ステップを実行する、字幕表示制御方法。
【発明の詳細な説明】
【技術分野】
【０００１】
この発明は、受信装置、携帯通信端末、字幕表示制御プログラムおよび字幕表示制御方法に関し、特にスピーカまたは装着部から音声を出力することができる、受信装置、携帯通信端末、字幕表示制御プログラムおよび字幕表示制御方法に関する。
【背景技術】
【０００２】
従来、スピーカまたはイヤフォンなどの装着部から音声を出力することができる、受信装置が広く知られており、この種の装置の一例が特許文献１に開示されている。この背景技術の放送受信機は車載型のデジタル放送受信機であり、テレビモニタ、スピーカおよびハンズフリー制御装置などが接続されている。テレビモニタは放送音声の内容を表す字幕が合成された映像を表示することができ、ユーザは字幕を表示するか否かを任意に設定することができる。また、ハンズフリー制御装置に携帯電話機が接続された状態で通話状態となると放送音声がミュートされる。そして、通話によって放送音声がミュートされた場合、字幕表示設定がオフにされていたとしても、テレビモニタには字幕が一時的に表示される。また、字幕表示設定がオフの状態で、ユーザの操作によって放送音声の出力音量が閾値以下にされた場合も、テレビモニタには字幕が一時的に表示される。
【特許文献１】特開２００６−２７９５９２号公報［H04N 5/60, H04B 1/16, H04N 5/445, H04N 7/173］
【発明の概要】
【発明が解決しようとする課題】
【０００３】
放送を視聴するときにはイヤフォンが利用されることが考えられる。ところが、特許文献１の放送受信機ではイヤフォンを利用して放送を視聴するときの利便性について、何ら考慮されていない。
【０００４】
それゆえに、この発明の主たる目的は、新規な、受信装置、携帯通信端末、字幕表示制御プログラムおよび字幕表示制御方法を提供することである。
【０００５】
この発明の他の目的は、テレビ放送を視聴するときの利便性を向上させることができる、受信装置、携帯通信端末、字幕表示制御プログラムおよび字幕表示制御方法を提供することである。
【課題を解決するための手段】
【０００６】
この発明は、上記の課題を解決するために、以下の構成を採用した。なお、括弧内の参照符号および補足説明等は、この発明の理解を助けるために記述する実施形態との対応関係を示したものであって、この発明を何ら限定するものではない。
【０００７】
第１の発明は、情報を受信する受信部、情報に含まれる音声情報および字幕情報を抽出する抽出部および抽出部によって抽出された音声情報に基づく音声を出力するときの音量を調節する調節部を有し、調節部によって調節された音量でスピーカまたは装着部から音声を出力する、受信装置であって、抽出部によって抽出された字幕情報に基づく字幕を表示する表示部、スピーカから音声が出力されているとき、音量が第１閾値以上であれば、表示部による字幕の表示をオフにする第１字幕オフ部、装着部から音声が出力されているとき、音量が第１閾値よりも小さい第２閾値以上であれば、表示部による字幕の表示をオフにする第２字幕オフ部、および表示部によって字幕が表示されている状態で装着部から音声が出力される状態になったとき、音量が第２閾値以上であれば、所定時間が経過するまで第２字幕オフ部を無効化する無効化部を備える、受信装置である。
【０００８】
第１の発明では、受信装置（１０：実施例において対応する部分を例示する参照符号。以下、同じ。）は、受信部（５２）によって情報（デジタルテレビ放送）を受信する。抽出部（５０）は、受信した情報から得られる復調信号をデコードすることで、映像情報、音声情報および字幕情報を抽出する。抽出された音声情報は所定の処理を経てアナログ音声信号に変換された後、そのアナログ音声信号に基づく音声の音量が調節部（２２ｂ）によって調節される。音量が調節された音声は、スピーカ（２６ｂ）または装着部（３０，４８）から出力される。
【０００９】
また、抽出された字幕情報に基づく字幕は、抽出された映像情報に基づく映像とともに、表示部（３８）によって表示される。そして、スピーカから音声が出力されている場合、第１字幕オフ部（３２，Ｓ１７，Ｓ５７）は、調節された音量が第１閾値（Ｔａ）以上であれば、字幕の表示をオフにする。また、装着部から音声が出力されている場合、第２字幕オフ部（３２，Ｓ９，Ｓ４３）は、音量が第１閾値よりも小さい第２閾値（Ｔｂ）以上であれば、字幕の表示をオフにする。
さらに、表示部によって字幕が表示されている状態で装着部から音声が出力される状態になったとき、音量が第２閾値以上であれば、無効化部（３２，Ｓ３９，Ｓ４１）は、所定時間が経過するまで第２字幕オフ部を無効化する。そして、所定時間が経過すると、字幕がオフにされる。
【００１０】
第１の発明によれば、音声の出力がスピーカまたは装着部のどちらであっても、使用者が必要とするときに字幕が表示される。そのため、使用者が情報を視聴するときの利便性を向上させることができる。
また、所定時間が経過してから字幕をオフにすることで、字幕が突然消えないようになるため、使用者に違和感を与えないようにできる。
【００１１】
第２の発明は、第１の発明に従属し、スピーカから音声が出力されているとき、音量が第１閾値より小さければ、表示部による字幕の表示をオンにする第１字幕オン部、および装着部から音声が出力されているとき、音量が第２閾値より小さければ、表示部による字幕の表示をオンにする第２字幕オン部をさらに備える。
【００１２】
第２の発明では、スピーカから音声が出力されている状態で、調節された音量が第１閾値より小さくなれば、第１字幕オン部（３２，Ｓ１９，Ｓ５９）は字幕の表示をオンにする。また、装着部から音声が出力されている状態で、調節された音量が第２閾値よりも小さくなれば、第２字幕オン部（３２，Ｓ１１，Ｓ４４）は字幕の表示をオンにする。
【００１３】
第２の発明によれば、周囲の状況が変化することで、字幕を表示させる必要が生じた場合、使用者は、音声の出力状態に対応する閾値よりも音量を下げることで、容易に字幕を表示させることができる。
【００１４】
第３の発明は、第１の発明または第２の発明に従属し、表示部によって字幕が表示されていない状態で装着部から音声が出力されない状態になったとき、音量が第１閾値より小さければ、表示部による字幕の表示をオンにする第３字幕オン部をさらに備える。
【００１７】
第４の発明は、第１の発明ないし第３の発明のいずれかに従属し、情報は、テレビ放送を含む。
【００１８】
第４の発明によれば、字幕を含むテレビ放送を視聴する使用者の利便性が高まる。
【００１９】
第５の発明は、第１の発明ないし第４の発明のいずれかに従属し、装着部は、受信装置に着脱自在である。
【００２０】
第５の発明によれば、使用者は着脱部を任意に着脱できるため、利便性が高まる。
【００２１】
第６の発明は、第１の発明ないし第５の発明のいずれかに従属し、装着部は、マイクを有するヘッドセット（４８）、イヤフォン（３０）およびステレオフォンを含む。
【００２２】
第６の発明によれば、音声を出力する装着部として、さまざまな物を利用することができる。
【００２３】
第７の発明は、第１の発明ないし第６の発明のいずれかに記載の受信装置を備える、携帯通信端末である。
【００２４】
第７の発明によれば、利用される状況に応じて音声の出力形式が切り替えられることが多い、携帯通信端末において、適切に字幕を表示することができる。
【００２５】
第８の発明は、情報（テレビ放送）を受信する受信部（５２）、情報に含まれる音声情報および字幕情報を抽出する抽出部（５０）、抽出部によって抽出された音声情報に基づく音声を出力するときの音量を調節する調節部（２２ｂ）および抽出部によって抽出された字幕情報に基づく字幕を表示する表示部（３８）を有し、調節部によって調節された音量でスピーカ（２６ｂ）または装着部（３０，４８）から音声を出力する、受信装置（１０）のプロセッサ（３２）を、スピーカから音声が出力されているとき、音量が第１閾値（Ｔａ）以上であれば、表示部による字幕の表示をオフにする第１字幕オフ部（Ｓ１７，Ｓ５７）、装着部から音声が出力されているとき、音量が第１閾値よりも小さい第２閾値（Ｔｂ）以上であれば、表示部による字幕の表示をオフにする第２字幕オフ部（Ｓ９，Ｓ４３）、および表示部によって字幕が表示されている状態で装着部から音声が出力される状態になったとき、音量が第２閾値以上であれば、所定時間が経過するまで第２字幕オフ部を無効化する無効化部として機能させる、字幕表示制御プログラムである。
【００２６】
第８の発明でも、第１の発明と同様、音声の出力がスピーカまたは装着部のどちらであっても、使用者が必要とするときに字幕が表示される。そのため、使用者が情報を視聴するときの利便性を向上させることができる。
また、所定時間が経過してから字幕をオフにすることで、字幕が突然消えないようになるため、使用者に違和感を与えないようにできる。
【００２７】
第９の発明は、情報（テレビ放送）を受信する受信部（５２）、情報に含まれる音声情報および字幕情報を抽出する抽出部（５０）、抽出部によって抽出された音声情報に基づく音声を出力するときの音量を調節する調節部（２２ｂ）および抽出部によって抽出された字幕情報に基づく字幕を表示する表示部（３８，４８）を有し、調節部によって調節された音量でスピーカ（２６ｂ）または装着部（３０）から音声を出力する、受信装置（１０）における字幕表示制御方法であって、受信装置のプロセッサが、スピーカから音声が出力されているとき、音量が第１閾値（Ｔａ）以上であれば、表示部による字幕の表示をオフにする第１字幕オフステップ（Ｓ１７，Ｓ５７）、装着部から音声が出力されているとき、音量が第１閾値よりも小さい第２閾値（Ｔｂ）以上であれば、表示部による字幕の表示をオフにする第２字幕オフステップ（Ｓ９，Ｓ４３）、および表示部によって字幕が表示されている状態で装着部から音声が出力される状態になったとき、音量が第２閾値以上であれば、所定時間が経過するまで第２字幕オフステップを無効化する無効化ステップを実行する、字幕表示制御方法である。
【００２８】
第９の発明でも、第１の発明と同様、音声の出力がスピーカまたは装着部のどちらであっても、使用者が必要とするときに字幕が表示される。そのため、使用者が情報を視聴するときの利便性を向上させることができる。
また、所定時間が経過してから字幕をオフにすることで、字幕が突然消えないようになるため、使用者に違和感を与えないようにできる。
【発明の効果】
【００２９】
この発明によれば、音声の出力がスピーカまたは装着部のどちらであっても、使用者が必要とするときに字幕を表示することができる。
【００３０】
この発明の上述の目的、その他の目的、特徴および利点は、図面を参照して行う以下の実施例の詳細な説明から一層明らかとなろう。
【図面の簡単な説明】
【００３１】
【図１】図１はこの発明の一実施例の携帯電話機の電気的な構成を示す図解図である。
【図２】図２は図１に示すディスプレイに表示されるテレビ放送の映像およびＧＵＩの一例を示す図解図である。
【図３】図３は図１に示すＲＡＭに記憶される閾値テーブルの構成の一例を示す図解図である。
【図４】図４は図３に示す閾値と音量との関係を示す図解図である。
【図５】図５は図１に示すＲＡＭのメモリマップの一例を示す図解図である。
【図６】図６は図１に示すプロセッサの字幕表示制御処理の一例を示すフロー図である。
【図７】図７は図１に示すプロセッサの字幕表示制御処理の他の一例を示すフロー図である。
【図８】図８は図１に示すプロセッサの字幕表示制御処理のその他の一例を示すフロー図である。
【発明を実施するための形態】
【００３２】
図１を参照して、この実施例の携帯電話機１０は、携帯通信端末の一種であり、CPUと呼ばれるプロセッサ３２を含む。また、プロセッサ３２には、無線通信回路１４、Ａ／Ｄ１６、第１Ｄ／Ａ２０ａ、第２Ｄ／Ａ２０ｂ、キー入力装置３４、表示ドライバ３６、フラッシュメモリ４０、ＲＡＭ４２、近距離無線通信回路４４、デコーダ５０およびＴＶ（テレビ）チューナ５２が接続される。無線通信回路１４にはアンテナ１２が接続され、Ａ／Ｄ１６にはマイク１８が接続される。第１Ｄ／Ａ２０ａには第１アンプ２２ａを介して、第１スピーカ２６ａが接続される。第２Ｄ／Ａ２０ｂには第２アンプ２２ｂおよびスイッチ２４を介して第２スピーカ２６ｂおよび挿入口２８が接続される。また、挿入口２８には引き抜くことが可能なイヤフォン３０が挿入されている。また、表示ドライバ３６にはディスプレイ３８が接続され、近距離無線通信回路４４には近距離無線通信アンテナ４６が接続される。そして、デコーダ５０とＴＶチューナ５２とは接続されており、ＴＶチューナ５２にはＴＶアンテナ５４が接続されている。なお、携帯電話機１０は、デコーダ５０、ＴＶチューナ５２およびＴＶアンテナ５４を備えるため、受信装置と呼ばれることもある。
【００３３】
プロセッサ３２は携帯電話機１０の全体制御を司る。ＲＡＭ４２は、プロセッサ３２の作業領域（描画領域を含む）ないしバッファ領域として用いられる。フラッシュメモリ４０には、携帯電話機１０の文字、画像、音声、音および映像のようなコンテンツのデータが記録される。
【００３４】
Ａ／Ｄ１６は、当該Ａ／Ｄ１６に接続されたマイク１８を通して入力される音声ないし音についてのアナログ音声信号を、デジタル音声信号に変換する。第１Ｄ／Ａ２０ａは、デジタル音声信号をアナログ音声信号に変換（復号）して、第１アンプ２２ａを介して第１スピーカ２６ａに与える。したがって、アナログ音声信号に対応する音声ないし音が第２スピーカ２６ｂから出力される。
【００３５】
また、第２Ｄ／Ａ２０ｂは、第１Ｄ／Ａ２０ａと同様、デジタル音声信号をアナログ音声信号に変換する。第２Ｄ／Ａ２０ｂから出力されたアナログ音声信号はスイッチ２４の状態に応じて、第２スピーカ２６ｂまたは挿入口２８に与えられる。このスイッチ２４は、イヤフォン２８が挿入口２８に挿入されていない状態では、第２アンプ２２ｂと第２スピーカ２６ｂとを接続した状態になる。また、イヤフォン２８が挿入口２８に挿入されると、スイッチ２４が機械的に動作するため、第２アンプ２２ｂと第２スピーカ２６ｂとの接続が解除される。さらに、スイッチ２４が動作すると、第２スピーカ２６ｂに代えて、挿入口２８が第２アンプ２２ｂと接続される。つまり、イヤフォン３０が挿入されると、第２スピーカ２６ｂから音声が出力されなくなり、代わりに、イヤフォン３０から音声が出力されるようになる。また、スイッチ２４と挿入口２８との間から、挿入信号がプロセッサ３２に入力される。そして、イヤフォン３０が挿入口２８に挿入されると、挿入信号が変化するため、プロセッサ３２は、イヤフォン３０が挿入口２８に挿入されたことを検出できる。
【００３６】
なお、プロセッサ３２は、第１アンプ２２ａおよび第２アンプ２２ｂの増幅率を制御することで、第１スピーカ２６ａおよび第２スピーカ２６ｂ（イヤフォン３０）から出力される音声の音量を調整することができる。そのため、第１アンプ２２ａおよび第２アンプ２２ｂは調節部と呼ばれることもある。
【００３７】
操作部であるキー入力装置３４は、カーソルキー、通話キーおよび終話キーなどを備える。そして、使用者が操作したキーの情報（キーデータ）はプロセッサ３２に入力される。また、キー入力装置３４に含まれる各キーが操作されると、クリック音が鳴る。したがって、使用者は、クリック音を聞くことで、キー操作に対する操作感を得ることができる。
【００３８】
また、音量を調節することか可能な状態であれば、プロセッサ３２はカーソルキーに対して行われたキー操作に応じて、音量を調整する信号を、第１アンプ２２ａおよび第２アンプ２２ｂに出力する。つまり、使用者は、カーソルキーを操作することで、第１スピーカ２６ａおよび第２スピーカ２６ｂ（イヤフォン３０、ヘッドセット４８）から出力される音声の音量を調節することができる。なお、所定の機能が実行されている状態で終話キーが操作されると、実行中の機能が終了し、携帯電話機１０は待機状態となる。
【００３９】
表示ドライバ３６は、プロセッサ３２の指示の下、当該表示ドライバ３６に接続されたディスプレイ３８の表示を制御する。なお、表示ドライバ３６は表示する画像データを一時的に記憶するビデオメモリ（図示せず）を含む。
【００４０】
無線通信回路１４は、CDMA方式での無線通信を行うための回路である。たとえば、使用者がキー入力装置３４を用いて電話発信（発呼）を指示すると、無線通信回路１４は、プロセッサ３２の指示の下、電話発信処理を実行し、アンテナ１２を介して電話発信信号を出力する。電話発信信号は、基地局および通信網（図示せず）を経て相手の電話機に送信される。そして、相手の電話機において着信処理が行われると、通信可能状態が確立され、プロセッサ３２は通話処理を実行する。
【００４１】
通常の通話処理について具体的に説明すると、相手の電話機から送られてきた変調音声信号はアンテナ１２によって受信される。受信された変調音声信号には、無線通信回路１４によって復調処理および復号処理が施される。そして、これらの処理によって得られた受話音声信号は、第１Ｄ／Ａ２０ａによってアナログ音声信号に変換された後、第１アンプ２２ａを介して第１スピーカ２６ａから出力される。一方、マイク１８を通して取り込まれた送話音声信号は、Ａ／Ｄ１６によってデジタル音声信号に変換された後、プロセッサ３２に与えられる。デジタル音声信号に変換された送話信号には、プロセッサ３２の指示の下、無線通信回路１４によって符号化処理および変調処理が施され、アンテナ１２を介して出力される。したがって、変調音声信号は、基地局および通信網を介して相手の電話機に送信される。
【００４２】
また、相手の電話機からの電話発信信号がアンテナ１２によって受信されると、無線通信回路１４は、電話着信（着呼）をプロセッサ３２に通知する。これに応じて、プロセッサ３２は、表示ドライバ３６を制御して、着信通知に記述された発信元情報（電話番号など）をディスプレイ３８に表示する。また、これとほぼ同時に、プロセッサ３２は、第２スピーカ２６ｂから着信音（着信メロディ、着信音声と言うこともある。）を出力させる。
【００４３】
そして、使用者が通話キーを用いて応答操作を行うと、無線通信回路１４は、プロセッサ３２の指示の下、電話着信処理を実行する。さらに、通信可能状態が確立され、プロセッサ３２は上述した通常の通話処理を実行する。
【００４４】
また、通話可能状態に移行した後に終話キーによって通話終了操作が行われると、プロセッサ３２は、無線通信回路１４を制御して、通話相手に通話終了信号を送信する。通話終了信号の送信後、プロセッサ３２は通話処理を終了する。また、先に通話相手から通話終了信号を受信した場合も、プロセッサ３２は通話処理を終了する。さらに、通話相手によらず、移動通信網から通話終了信号を受信した場合も、プロセッサ３２は通話処理を終了する。
【００４５】
近距離無線通信回路４４は、Bluetooth（登録商標）形式などの近距離無線通信を、ヘッドセット４８との間に確立する。たとえば、使用者がヘッドセット４８に設定された暗証番号を入力すると、近距離無線通信回路４４とヘッドセット４８との近距離無線通信が確立される。この状態で、音声を出力する機能が実行されると、プロセッサ３２はデジタル音声信号を第２Ｄ／Ａ２０ｂには出力せず、近距離無線通信回路４４に出力する。また、近距離無線通信回路４４は、近距離無線通信アンテナ４６を介して、デジタル音声信号をヘッドセット４８に与える。そして、ヘッドセット４８では、受信したデジタル音声信号がアナログ音声信号に変換（複合）され、ヘッドセット４８のイヤフォンから音声が出力される。そのため、第２スピーカ２６ｂから音声が出力されている状態で、ヘッドセット４８との近距離無線通信が確立されると、第２スピーカ２６ｂから音声が出力されなくなり、ヘッドセット４８から音声が出力されるようになる。
【００４６】
また、近距離無線通信が確立されたヘッドセット４８は、近距離無線通信回路４４からデータを受信するとＡＣＫ信号（肯定応答信号）を返す。そのため、プロセッサ３２は、データをヘッドセット４８に送信した後に、一定時間以内にＡＣＫ信号が返されなければ、ヘッドセット４８との近距離無線通信が切断したと判断する。この場合、近距離無線通信回路４４に出力していたデジタル音声信号は、第２Ｄ／Ａ２０ｂに出力されるようになる。つまり、ヘッドセット４８との近距離無線通信が切断した場合、音声は第２スピーカまたはイヤフォン３０から出力されるようになる。
【００４７】
なお、Bluetooth形式などの近距離無線通信において、暗証番号を入力してヘッドセット４８の近距離無線通信を確立する操作を「ペアリング」と言う。また、過去にペアリングが行われていれば、次回からは暗証番号を入力せずに、近距離無線通信回路４４とヘッドセット４８との近距離無線通信を確立することができる。
【００４８】
ここで、本実施例では、第２スピーカ２６ｂから音声を出力することを「スピーカ出力」と言い、イヤフォン３０またはヘッドセット４８のイヤフォンから音声を出力することを「イヤフォン出力」と言う。
【００４９】
また、ヘッドセット４８は、イヤフォンおよびマイクを有しているが、イヤフォンだけを有していてもよい。また、イヤフォン３０およびヘッドセット４８は、まとめて装着部と呼ばれることもある。
【００５０】
ＴＶチューナ５２はデジタルチューナであり、受信部と呼ばれることがある。またＴＶチューナ５２は、ＴＶアンテナ５４によって受信したテレビ放送信号（情報）から、選局されたチャンネルに対応するテレビ放送信号を抽出する。また、ＴＶチューナ５２は、その抽出したテレビ放送信号に対して復調等の処理を行い、復調信号（ＭＰＥＧ２トランスポートストリームとも言う。）を生成する。また、ＴＶチューナ５２は復調信号をデコーダ５０に出力する。デコーダ５０は、ＭＰＥＧ−ＴＳデコーダ、ビデオデコーダ、字幕デコーダおよびオーディオデコーダを含む。デコーダ５０に入力された復調信号は、まずＭＥＰＧ−ＴＳデコーダによってＭＰＥＧ方式に基づいた復号処理が行われ、映像信号、字幕信号および音声信号が形成される。さらに、映像信号はビデオデコーダでデコードされ、字幕信号は字幕デコーダでデコードされ、音声信号は音声デコーダでデコードされる。
【００５１】
そして、上記のようにしてデコードされた各データはプロセッサ３２に入力される。プロセッサ３２は、デコードされた映像データをビデオメモリに格納し、デコードされた音声データ（デジタル音声信号）を第２Ｄ／Ａ２０ｂに出力する。したがって、受信したテレビ放送に従う映像がディスプレイ３８に表示されるとともに、放送の音声（放送音声）が第２スピーカ２６ｂまたはイヤフォン３０から出力される。
【００５２】
また、字幕を表示する設定がされている場合、プロセッサ３２は、デコードされた文字データを、映像データと共にビデオメモリに格納する。この字幕とは、放送番組に付随して、アナウンサーや、タレントなどが話す台詞などの放送音声の内容を表示するためのものである。そのため、使用者は、音声を聞かなくても、字幕と映像とを見るだけで、放送の内容を理解できる。
【００５３】
なお、キー入力装置３４によって、チャンネルが選局されると、プロセッサ３２は選局命令をＴＶチューナ５２に出力する。
【００５４】
図２は、テレビ放送に対応する映像がディスプレイ３８に表示される状態を示す図解図である。ディスプレイ３８の表示領域は、状態表示領域６０および機能表示領域６２から構成される。状態表示領域６０には、アンテナ１２による電波受信状態および二次電池の残電池容量を示すアイコン（ピクトと言うこともある。）と、現在日時とが表示される。
【００５５】
機能表示領域６２は、テレビ放送の映像を表示する映像表示領域７０およびソフトキーを表示するキー表示領域７２が含まれる。たとえば、映像表示領域７０には、デコーダ５０によってデコードされた映像が表示される。キー表示領域７２には、テレビ機能の操作ＧＵＩなどを表示するためのメニュキー７４が表示される。そして、メニュー７４を操作して、現在の音量を表示するメニューが選択されると、映像表示領域７０には、映像とともに音量アイコン７６が表示される。
【００５６】
また、音量アイコン７６が表示されている状態で、キー入力装置３４によって音量調節操作がされると音量アイコン７６内のゲージが上下する。たとえば、音量アイコン７６内のゲージが所定の位置まで下がると、つまり音量値が閾値よりも低くなると、機能表示領域６２には字幕表示領域７８が表示されるようになる。そして、字幕表示領域７８には、字幕デコーダでデコードされた字幕が表示される。たとえば、映像表示領域７０にスポーツの試合が表示されていれば、字幕表示領域７８には、実況アナウンサーが話している言葉が字幕として表示される。
【００５７】
ここで、本実施例では、スピーカ出力またはイヤフォン出力に応じて、字幕を表示する音量の閾値を変化させる。図３の閾値テーブルを参照して、音量の閾値は、イヤフォン出力では閾値Ｔｂとなり、スピーカ出力では閾値Ｔｂよりも大きい閾値Ｔａとなる。一般的に、スピーカ出力は、第２スピーカ２６ｂと使用者の耳との距離が遠いため、周囲の雑音の影響を受けやすい。一方、イヤフォン出力は、イヤフォンが使用者の耳に装着されるため、周囲の雑音の影響を受けにくい。そのため、イヤフォン出力よりもスピーカ出力の方が、字幕が表示されやすくなるように、閾値Ｔａ，Ｔｂが設定されている。
【００５８】
そして、２つの閾値が上記のような大小関係を持つ場合、ディスプレイ３８に表示される字幕は図４のようになる。図４を参照して、左軸は音量の大きさを示し、下が音量の最小値、上が音量の最大値となる。また、閾値Ｔａは閾値Ｔｂよりも上に図示される。たとえば、音量値が閾値Ｔａ以上の場合、音声の出力形式に関わらず字幕は表示されない。また、音量値が閾値Ｔｂよりも小さい場合、音声の出力形式に関わらず字幕は表示される。そして、音量値が閾値Ｔａ以上であり、かつ閾値Ｔｂ未満の場合、イヤフォン出力であれば字幕は表示されないが、スピーカ出力であれば字幕は表示される。
【００５９】
したがって、利用される状況に応じて音声の出力形式が切り替えられることが多い、携帯電話機１０において、適切に字幕を表示することができる。また、使用者は、周囲の状況が変化することで、字幕を表示させる必要が生じた場合、出力形式に対応する閾値よりも音量を下げることで、容易に字幕を表示させることができる。
【００６０】
また、図４を参照して、音量値が閾値Ｔａ未満、かつ閾値Ｔｂ以上のときにスピーカ出力であれば、第２スピーカ２６ｂから音声が出力され、字幕がディスプレイ３８に表示される。この状態で、イヤフォン３０が挿入口２８に挿入されると、音声の出力形式がスピーカ出力からイヤフォン出力に切り替わる。このとき、音量値は閾値Ｔｂ以上となるが、イヤフォン３０が挿入されてから所定時間（たとえば、３秒）が経過するまでは、字幕をオフ（消去）しないようにする。たとえば、使用者がイヤフォン３０を挿入することで字幕が急にオフにされると、使用者に違和感を与えることになる。ところが、本実施例のように、所定時間が経過してから字幕をオフにすることで、字幕が突然消えないようになるため、使用者に違和感を与えないようにできる。
【００６１】
図５は、ＲＡＭ４２のメモリマップ３００を示す図である。ＲＡＭ４２のメモリマップ３００には、プログラム記憶領域３０２およびデータ記憶領域３０４が含まれる。また、プログラムおよびデータの一部は、フラッシュメモリ４０から一度に全部または必要に応じて部分的かつ順次的に読み出され、ＲＡＭ４２に記憶されてからプロセッサ３２によって処理される。
【００６２】
プログラム記憶領域３０２には、携帯電話機１０を動作させるためのプログラムが記憶されている。たとえば、携帯電話機１０を動作させるためのプログラムは、字幕表示制御プログラム３１０などから構成されている。字幕表示制御プログラム３１０は、ディスプレイ３８に表示される字幕のオン／オフを制御するためのプログラムである。また、字幕表示制御プログラム３１０は、図６−図８に示す処理を実行するプログラムから構成される。
【００６３】
なお、図示は省略するが、携帯電話機１０を動作させるためのプログラムには、電話着信状態を通知するためのプログラムおよび外部と通信するためのプログラムなどが含まれる。
【００６４】
続いて、データ記憶領域３０４には、字幕バッファ３３０および音量バッファ３３２などが設けられるとともに、閾値テーブルデータ３３４などが記憶される。また、データ記憶領域３０４には、挿入フラグ３３６、ヘッドセットフラグ３３８、スピーカフラグ３４０および字幕カウンタ３４２などが設けられる。
【００６５】
字幕バッファ３３０には、字幕デコーダから出力された字幕データが一時的に記憶される。音量バッファ３３２には、たとえば使用者によって調節された音量値が一時的に記憶される。閾値テーブルデータ３３４は、図３に示すように構成されたテーブルデータである。
【００６６】
挿入フラグ３３６は、挿入口２８にイヤフォン３０が挿入されているか否かを判断するためのフラグであり、スイッチ２４と挿入口２８との間から得られる挿入信号に基づいてオン／オフが切り替わる。たとえば挿入フラグ３３６は、１ビットのレジスタで構成される。挿入フラグ３３６がオン（成立）されると、レジスタにはデータ値「１」が設定される。一方、挿入フラグ３３６がオフ（不成立）されると、レジスタにはデータ値「０」が設定される。また、挿入フラグ３３６がオンであればイヤフォン３０が挿入口２８に挿入された状態を示し、挿入フラグ３３６がオフであればイヤフォン３０が挿入口２８に挿入されていない状態を示す。
【００６７】
ヘッドセットフラグ３３８は、ヘッドセット４８との近距離無線通信が確立されているかを判断するためのフラグである。また、ヘッドセットフラグ３３８は、ヘッドセット４８からＡＣＫ信号が取得できなくなると、オンからオフに切り替わる。
【００６８】
スピーカフラグ３４０はスピーカ出力であるかを判断するためのフラグである。また、スピーカフラグ３４０は、挿入フラグ３３８およびヘッドセットフラグ３４０が共にオフであるときに、オンになる。つまり、挿入フラグ３３８またはヘッドセットフラグ３４０のいずれか一方がオンであれば、スピーカフラグ３４０はオフとなる。
【００６９】
字幕カウンタ３４２は、字幕の表示を維持するための所定時間をカウントするカウンタである。また、字幕カウンタ３４２は、初期化されるとカウントが開始される。さらに、字幕カウンタ３４２は字幕タイマとも呼ばれ、字幕タイマが実行されると、字幕カウンタ３４２は初期化される。
【００７０】
なお、図示は省略するが、データ記憶領域３０４には、ディスプレイ３８に表示される画像や文字列のデータなどが記憶されると共に、携帯電話機１０の動作に必要なカウンタや、フラグも設けられる。
【００７１】
プロセッサ３２は、Android（登録商標）およびREXなどのLinux（登録商標）ベースのOSや、その他のOSの制御下で、図６、図７および図８に示す処理などを含む、複数のタスクを並列的に処理する。
【００７２】
図６は字幕表示制御処理のフロー図である。たとえば、音量を調節する操作によって音量値が変化すると、プロセッサ３２はステップＳ１で、音量値を取得する。たとえば、使用者によって調節された音量値を、音量バッファ３３２から取得する。続いて、ステップＳ３では、イヤフォン３０またはヘッドセット４８から音声が出力されているイヤフォン出力の状態かを判断する。つまり、挿入フラグ３３６またはヘッドセットフラグ３３８のいずれか一方がオンであるか否かを判断する。
【００７３】
ステップＳ３で“ＹＥＳ”であれば、たとえば挿入フラグ３３６がオンであり、イヤフォン３０から音声が出力されていれば、ステップＳ５で閾値Ｔｂを取得する。つまり、閾値テーブルデータ３３４から閾値Ｔｂが読み出される。続いて、ステップＳ７では、音量値が閾値Ｔｂ以上か否かを判断する。つまり、調節された音量値がスピーカ出力の閾値Ｔｂ以上か否かを判断する。ステップＳ７で“ＹＥＳ”であれば、つまり音量値が閾値Ｔｂ以上であれば、ステップＳ９で字幕をオフにし、図６に示す字幕表示制御処理を終了する。つまり、ディスプレイ３８に字幕が表示さなくなる。また、字幕が表示されなくなると、字幕表示領域７８が表示さなくなる。たとえば、ステップＳ９で字幕がオフにされると、ディスプレイ３８の表示が図２（Ｂ）から図２（Ａ）に変化する。
【００７４】
一方、ステップＳ７で“ＮＯ”であれば、つまり音量値が閾値Ｔｂ未満であれば、ステップＳ１１で字幕がオンにされ、字幕表示制御処理を終了する。つまり、字幕バッファ３３０に格納されている字幕データに基づく字幕が、ディスプレイ３８に表示される。また、字幕が表示されるとともに、ディスプレイ３８には字幕表示領域７８も表示されるようになる。つまり、ステップＳ１１で字幕がオンにされると、ディスプレイ３８の表示が図２（Ａ）から図２（Ｂ）に変化する。
【００７５】
また、ステップＳ３で“ＮＯ”であれば、つまりスピーカフラグ３４０がオンであり、第２スピーカ２６ｂから音声が出力されていれば、ステップＳ１３で閾値Ｔａを取得する。つまり、閾値テーブルデータ３３４から、スピーカ出力の閾値Ｔａを読み出す。続いて、ステップＳ１５では、音量値が閾値Ｔａ以上か否かを判断する。つまり、スピーカ出力における音量値が閾値Ｔａ以上であるか否かを判断する。ステップＳ１５で“ＹＥＳ”であれば、つまり音量値が閾値Ｔａ以上であれば、ステップＳ１７で字幕をオンにし、字幕表示制御処理を終了する。一方、ステップＳ１５で“ＮＯ”であれば、つまり音量値が閾値Ｔａ未満であれば、ステップＳ１５で字幕をオフにし、字幕表示制御処理を終了する。つまり、スピーカ出力の場合、イヤフォン出力の閾値Ｔｂよりも大きい閾値Ｔａに基づいて字幕のオン／オフが制御される。
【００７６】
なお、図６に示すフロー図に含まれる、いくつかの処理は他のフロー図でも同様に利用されるため、他のフロー図では詳細な説明を省略する。
【００７７】
図７は字幕表示制御処理の他のフロー図である。たとえば、使用者によってイヤフォン３０が挿入口２８に挿入されると、プロセッサ３２はステップＳ３１で音量値を取得し、ステップＳ３３で閾値Ｔｂを取得する。つまり、イヤフォン３０が挿入されると、イヤフォン出力となるため、閾値Ｔｂが取得される。
【００７８】
続いて、ステップＳ３５では、音量値が閾値Ｔｂ以上か否かを判断する。ステップＳ３５で“ＮＯ”であれば、つまり音量値が閾値Ｔｂ未満であれば、ステップＳ４５で字幕がオンにされ、図７に示す字幕表示制御処理を終了する。
【００７９】
また、ステップＳ３５で“ＹＥＳ”であれば、つまり音量値が閾値Ｔｂ以上であれば、ステップＳ３７でディスプレイ３８に字幕が表示されているか否かを判断する。つまり、字幕バッファ３３０から字幕データが読み出され、ビデオメモリに格納されているか否かを判断する。ステップＳ３７で“ＮＯ”であれば、つまり字幕が表示されていなければ、ステップＳ４３に進む。また、ステップＳ３７で“ＹＥＳ”であれば、つまり字幕が表示されていれば、ステップＳ３９で字幕タイマを実行する。つまり、スピーカ出力からイヤフォン出力に変化したときに、字幕が急に消えないようにするために、所定時間を計測する字幕タイマが実行される。また、具体的には、ステップＳ３９の処理が事項されると、字幕カウンタ３４２の値が繰り返して加算される。続いて、ステップＳ４１で、タイマが満了したか否かを判断する。つまり、字幕タイマが、所定時間（たとえば、３秒）を計測して、満了したか否かが判断する。具体的な処理としては、字幕カウンタ３４２が所定時間に対応する値となったか否かが判断される。なお、ステップＳ３９およびステップＳ４１の処理を実行するプロセッサ３２は無効化部として機能する。
【００８０】
ステップＳ４１で“ＮＯ”であれば、つまり字幕タイマが満了していなければ、ステップＳ４１の処理が繰り返される。一方、ステップＳ４１で“ＹＥＳ”であれば、つまり字幕タイマが満了すれば、ステップＳ４３で字幕をオフにし、図７に示す字幕表示制御処理を終了する。つまり、イヤフォン３０が挿入されたときの音量値が閾値Ｔｂ以上であっても、字幕が急には消去されることはない。
【００８１】
図８は字幕表示制御処理のその他のフロー図である。たとえば、使用者によって、挿入口２８からイヤフォン３０が引き抜かれると、プロセッサ３２は、ステップＳ５１で音量値を取得し、ステップＳ５３で閾値Ｔａを取得する。つまり、イヤフォン３０が引き抜かれるとスピーカ出力になるため、閾値Ｔａが読み出される。続いて、ステップＳ５５では、音量値が閾値Ｔａ以上か否かを判断する。ステップＳ５５で“ＹＥＳ”であれば、つまり音量値が閾値Ｔａ以上であれば、ステップＳ５７で字幕をオフにする。一方、ステップＳ５５で“ＮＯ”であれば、つまり音量値が閾値Ｔｂ未満であれば、ステップＳ５９で字幕をオンにする。そして、ステップＳ５７またはステップＳ５９の処理が終わると、図８に示す字幕表示制御処理を終了する。たとえば、音量値が閾値Ｔａ未満、閾値Ｔｂ以上の状態でイヤフォン３０が引き抜かれた場合、時間をあけずに、字幕が表示される。
【００８２】
なお、他の実施例では、ヘッドセット４８との近距離無線通信が確立されると、図７に示す字幕表示制御処理が実行されてもよい。また、ヘッドセット４８との近距離無線通信が切断されると、図８に示す字幕表示制御処理が実行されてもよい。
【００８３】
また、ステップＳ１７，Ｓ５７の処理を実行するプロセッサ３２は第１字幕オフ部として機能する。また、ステップＳ９，Ｓ４３の処理を実行するプロセッサ３２は第２字幕オフ部として機能する。また、ステップＳ１９，Ｓ５９の処理を実行するプロセッサ３２は第１字幕オン部として機能する。そして、ステップＳ１１，Ｓ４４の処理を実行するプロセッサ３２は第２字幕オン部として機能する。
【００８４】
以上の説明から分かるように、携帯電話機１０は、ＴＶチューナ５２によってテレビ放送を受信する。また、デコーダ５０は、受信したテレビ放送に対応する、映像データ、字幕データおよび音声データを抽出する。音声データはアナログ音声信号に変換され、第２アンプ２２ｂによって音量が調節される。また、音量が調節された音声は、第２スピーカ２６ｂ、イヤフォン３０またはヘッドセット４８によって出力される。さらに、デコードされた映像データおよび字幕データは、ディスプレイ３８に表示される。そして、第２スピーカ２６ｂから音声が出力されている場合、調節された音量が閾値Ｔａ以上であれば、字幕の表示がオフにされる。また、イヤフォン３０から音声が出力されている場合、調節された音量が閾値Ｔｂ以上であれば、字幕の表示がオフにされる。
【００８５】
したがって、音声の出力が第２スピーカ２６ｂまたはイヤフォン３０（ヘッドセット４８のイヤフォン）のどちらであっても、使用者が必要とするときに字幕が表示される。そのため、使用者がテレビ放送を視聴するときの利便性を向上させることができる。
【００８６】
また、字幕を含むテレビ放送を視聴する使用者の利便性を高めることができる。
【００８７】
また、使用者は携帯電話機１０を鞄に収納するときや、持ち運ぶときに、イヤフォン３０を任意に着脱することができるため、使用者の利便性が高まる。
【００８８】
なお、閾値Ｔａおよび閾値Ｔｂは、携帯電話機１０のソフトウェアアップデートや、使用者の変更操作などによって変更されてもよい。
【００８９】
また、他の実施例では、字幕表示領域７８を表示せずに、字幕が表示されてもよい。この場合、字幕は放送の映像に重ねて表示される。
【００９０】
また、テレビ放送を含む情報に、ネットワークを利用して配信される番組データなどがさらに含まれてもよい。
【００９１】
また、音声を出力する装着部には、ステレオフォンがさらに含まれていてもよい。つまり、音声を出力する装着部として、さまざまな物を利用することができる。
【００９２】
また、携帯電話機１０の通信方式はCDMA方式であるが、LTE(Long Term Evolution)方式、W-CDMA方式、GSM方式、TDMA方式、FDMA方式およびPHS方式などが採用されてもよい。
【００９３】
また、字幕表示制御プログラム３１０は、データ配信用のサーバのHDDに記憶され、ネットワークを介して携帯電話機１０に配信されてもよい。また、CD,DVD,BD(Blu-ray Disc)などの光学ディスク、USBメモリおよびメモリカードなどの記憶媒体にこれらのプログラムを記憶させた状態で、その記憶媒体が販売または配布されてもよい。そして、上記したサーバや記憶媒体などを通じてダウンロードされた、字幕表示制御プログラム３１０が、本実施例と同等の構成の携帯電話機にインストールされた場合、本実施例と同等の効果が得られる。
【００９４】
さらに、本実施例は、携帯電話機１０のみに限らず、スマートフォンおよびPDA(Personal Digital Assistant)に適用されてもよい。
【００９５】
そして、本明細書中で挙げた所定時間などの具体的な数値は、いずれも単なる一例であり、製品の仕様などの必要に応じて適宜変更可能である。
【符号の説明】
【００９６】
１０    …  携帯電話機
１２    …  アンテナ
１４    …  無線通信回路
２０ａ，２０ｂ    …  第１Ｄ／Ａ、第２Ｄ／Ａ
２２ａ，２２ｂ    …  第１アンプ、第２アンプ
２４    …  スイッチ
２６ａ，２６ｂ    …  第１スピーカ、第２スピーカ
２８    …  挿入口
３０    …  イヤフォン
３２    …  プロセッサ
３８    …  ディスプレイ
４４    …  近距離無線通信回路
４６    …  近距離無線通信アンテナ
４８    …  ヘッドセット
５０    …  デコーダ
５２    …  ＴＶチューナ
５４    …  ＴＶアンテナ
【図１】
0005735269.tif 000002
【図２】
0005735269.tif 000003
【図３】
0005735269.tif 000004
【図４】
0005735269.tif 000005
【図５】
0005735269.tif 000006
【図６】
0005735269.tif 000007
【図７】
0005735269.tif 000008
【図８】
0005735269.tif 000009